(57)【要約】材料を切断し、材料の柔軟片を配置する方法及び装置は、特定的に２つの切断片（８２、１１８）の相対的位置決めのために構成される。前記装置は、切断片（８２）を部品上に、配置する前及び配置する間に、正確な及び固定した位置で物品部品を保持する真空コンベア１７２を含む。示した装置及び方法では、切断片（８２）は形成され、割り込みロールの必要なしに単一の一定した速度のアンビルロール（１６７）で、コンベア（１７２）に移送される。
2005532969.tif 000002
【特許請求の範囲】
【請求項１】
材料を切断し、材料の切断した第一片を材料の切断した第二片上に配置するための装置であって、
材料の前記第二片を支持するようになった可動支持材を含み、前記第二片が前記可動支持材によって動かされる際に、前記第二片を前記可動支持材上の位置に保持するようになった真空コンベアと、
前記真空コンベアの前記可動支持材とほぼ対向する関係で取り付けられて移送ニップを定める、ホイールを含み、該ホイールが回転軸の周りを回転し、更に前記第一材料のウエブの端部セグメントを受け取るようになったアンビルロールと、
前記ホイールの回転軸線に対し、ほぼ平行な軸線の周りを回転するように取り付けられた切断ロールと、を備え、前記切断ロールは、前記端部セグメントが、第一材料の前記ウエブから材料の前記第一切断片を切断するために前記ホイール上にある時に、前記第一材料ウエブ端部セグメントと周期的に係合可能であるナイフを含み、
前記ホイールは、切断した前記第一片を保持し、切断した前記第一片を前記第二片上に配置するために、切断した前記第一片を前記真空コンベアの前記可動支持材まで運ぶようになったことを特徴とする装置。
【請求項２】
前記真空コンベアは、ほぼ前記ホイールと対向する反作用表面を含み、前記可動支持材は、前記反作用表面と前記ホイールとの間を延びるようになったことを特徴とする請求項１に記載の装置。
【請求項３】
前記真空コンベアは、更に反作用ロールを含み、前記反作用表面は前記反作用ロールの表面により構成されることを特徴とする請求項２に記載の装置。
【請求項４】
前記反作用表面は、前記可動支持材を、前記ホイールから、材料の第一片及び第二片を含む移送ニップで受け取られる材料の組立体の圧縮されていない厚さの合計より小さい距離内に保持する、ことを特徴とする請求項２に記載の装置。
【請求項５】
前記コンベアの前記ホイール及び可動支持材は、線速度とほぼ同じ速度で移動するようになったことを特徴とする請求項１に記載の装置。
【請求項６】
前記第一材料の前記ウエブを、ホイールの速度より小さい速度で前記ホイールに給送するための給送機を含むことを特徴とする請求項５に記載の装置。
【請求項７】
前記ホイールは、滑り係合するように前記第一材料の前記ウエブの前記端部セグメントを受け取るようになった、ほぼ円柱状の周面と、前記周面上に形成され、前記端部セグメントを受け取って前記ホイールの軸方向に前記端部セグメントを整列させるようになった溝と、材料の前記断片した第一切を受け取って材料の前記切断した第一片を保持し、材料の前記第一片を、前記真空コンベアの前記可動支持材上の材料の前記第二片に移送するように配置されたランド部とを含むことを特徴とする請求項６に記載の装置。
【請求項８】
前記溝は、前記周面のほぼ周方向にその長さ方向が延びることを特徴とする請求項７に記載の装置。
【請求項９】
前記溝は、ランド部に近接する、少なくとも１つの端部に向かって、次第に深さが減少することを特徴とする請求項８に記載の装置。
【請求項１０】
前記溝は、前記溝の両方の端部に向かって、次第に深さが減少することを特徴とする請求項９に記載の装置。
【請求項１１】
前記ホイールは、前記移送ニップで前記第一切断片を放出するために構成されていることを特徴とする請求項７に記載の装置。
【請求項１２】
前記ホイールは、前記第一材料の前記ウエブの前記端部セグメント及び材料の前記第一切断片を前記ホイール上に保持するために使用される、真空源に結合され、前記移送ニップにおいて前記第一切断片から真空を除去するようになった特徴とする請求項１１に記載の装置。
【請求項１３】
材料の前記第二片を第二材料のウエブから切断し、前記真空コンベア上に前記第二片を配置するための、切断及び配置装置を更に含むことを特徴とする請求項１に記載の装置。
【請求項１４】
接着剤を前記第一材料の前記ウエブに付与して材料の前記第一切断片を材料の前記第二片に取り付けるために使用される、アプリケーターを更に含むことを特徴とする請求項１に記載の装置。
【請求項１５】
前記ホイールは、前記移送ニップで前記第一切断片を放出するように構成されていることを特徴とする請求項１に記載の装置。
【請求項１６】
前記ホイールは、前記ホイール上に前記第一材料の前記ウエブの前記端部セグメント及び材料の前記第一切断片を保持するのに使用するために、真空源に接続されるようになっており、前記ホイールは、前記移送ニップにおいて前記第一切断片から真空を解放するようになったことを特徴とする請求項１５に記載の装置。
【請求項１７】
前記可動支持材は、材料の前記第二片が支持される上側部分をもった連続コンベアベルトを含むことを特徴とする請求項１に記載の装置。
【請求項１８】
前記アンビルロールは更に、前記真空コンベアの可動支持材にほぼ対向する関係に取り付けられて第二移送ニップを定める第二ホイールを含み、前記第二ホイールは、回転軸の周りに回転自在であり、第三材料ウエブの端部セグメントを受けて可動支持材上で材料の第三切断片を材料の第四片に付与するようになったことを特徴とする請求項１に記載の装置。
【請求項１９】
前記第二アンビルは、前記端部セグメントが前記第二ホイール上にある時、ナイフが前記第三材料ウエブ端部セグメントと周期的に係合して材料の第三切断片の１つを第三材料のウエブから切断するように、切断ロールに対して位置されたことを特徴とする請求項１８に記載の装置。
【請求項２０】
連続工程で材料を切断し、材料の第二片上に材料の第一切断片を配置する方法であって、第二材料ウエブから前記第二片を切断し、コンベア上に前記第二片を位置させ、コンベア上の決められた位置に前記第二片を拘束し、アンビルロールと係合している第一材料のウエブから前記第一切断片を切断し、前記アンビルロール上の前記第一切断片を、前記コンベアの移送点へ移動させ、前記第一切断片を前記移送点において前記コンベア上の前記第二片に移送することを特徴とする方法。
【請求項２１】
前記アンビルロールを第一速度で回転させ、前記第一速度より遅い第二速度で第一材料の前記ウエブを給送し、これにより材料の前記ウエブが前記アンビルロール上を滑らされることを特徴とする請求項２０に記載の方法。
【請求項２２】
前記アンビルロールの前記第一回転速度は、前記移送点では前記コンベアの速度とほぼ等しいことを特徴とする請求項２１に記載の方法。
【請求項２３】
前記移送点における前記アンビルロールとコンベアの間隙を、前記移送点で受け取られた前記第一切断片及び前記第二片を含む材料の組立体の圧縮されていない厚さの合計より小さく保持するために、ほぼアンビルロールに対向する側に前記コンベアを支持する、ことを特徴とする請求項２０に記載の方法。
【請求項２４】
第一材料の前記ウエブから切断される位置から前記移送点まで、前記アンビルロール上に材料の前記第一切断片を拘束することを特徴とする請求項２０に記載の方法。
【請求項２５】
前記第一切断片を拘束することは、前記アンビルロール上で前記第一切断片に真空を付与するものであることを特徴とする請求項２４に記載の方法。
【請求項２６】
前記材料の第一切断片を第一材料の前記ウエブから切断する前に、前記アンビルロールの軸方向に第一材料の前記ウエブの端部セグメントを位置決めすることを特徴とする請求項２０に記載の方法。
【請求項２７】
第一材料の前記ウエブの前記端部セグメントを位置決めすることは、前記アンビルロールの円周に延びる溝に前記端部セグメントを受けるものであることを特徴とする請求項２６に記載の方法。
【発明の詳細な説明】
【技術分野】
【０００１】
本発明は、一般的に、柔軟材料の多数の片から成る物品の形成のための装置及び方法、より特定的には、切断片を物品の連続していない部品上で正確に位置付けするための装置及び方法に関する。
【背景技術】
【０００２】
衣類、及び、更に特定的には使い棄て吸収性衣類は、オムツ、訓練用パンツ、婦人用衛生用品、及び大人失禁用製品を含む多数の用途を持つ。典型的な使い棄て吸収性衣類は、液体透過性身体側ライナー及び液体不透過性外側カバーの間に位置された、吸収性組立体を含む複合構造として形成される。これらの部品は、意図する目的に特に適した製品を形成するために、弾性材料及び収容構造などの、他の材料及び特徴と結合することができる。これらの衣類の多くは、衣類の製造の間に固定される（例えば予め締結された）締結部品を含み、製品は完全に組立てられた形で包装される。
【０００３】
例えば、このような予め締結された衣類の１つに子供の訓練用パンツがあり、中央吸収性シャーシ及びその縦方向両側端に近接したシャーシから横向きに延びる前後サイドパネルを持つ。各々の前後サイドパネルは、その上にフック又はループ締結用具のような締結部品を持つ。通常、これらの部品は、フック（及びループ）材料のロールから切り取られ、連続したウエブ上に配置される。切り取られる材料は、ロールからアンビルロールに係合するように延びる。ロールは材料がロールに給送される速度より大きい速度で回転しており、材料はロール上を滑る。ダイすなわちナイフロールは、材料から片を切断するためにアンビルロール上の材料と周期的に係合し、片は次いでアンビルロールにより別のロールに運ばされるか、又は材料のウエブへ直接運ばれ、そこで切断片がウエブ上に配置される。移送される間、ロール上の切断片を保持する目的のために、アンビルロールに真空を付与することが知られている。
【０００４】
この型の切断及び配置作動に関連する難点は、アンビルロールでの材料の切断片の制御である。フック材料又はループ材料のような材料は長く及び薄いものとなることがある。アンビル上の材料を制御することは困難である。材料がロール上を滑るにしたがって、材料は一方の側から他方の側へと移動する傾向にある。このように、切断片を他の部品上に配置するための正確さは、妥協されることになる。材料の位置決め制御は、最終的に他の部品上に切断片を放出することを困難にするような構造の付加により行われるものでないことが望ましい。
【０００５】
【特許文献１】米国特許出願一連番号０９／４４４，０８３公報
【特許文献２】ＰＣＴ出願番号ＷＯ００／３７００９公報
【特許文献３】米国特許第４，９４０，４６４号公報
【特許文献４】米国特許第５，７６６，３８９号公報
【特許文献５】米国特許第４，７０４，１１６号公報
【特許文献６】米国特許第５，７６６，３８９号公報
【特許文献７】米国特許第４，９４０，４６４号公報
【特許文献８】米国特許第５，２２４，４０５号公報
【特許文献９】米国特許第５，１０４，１１６号公報
【特許文献１０】米国特許第５，０４６，２７２号公報
【特許文献１１】米国特許第４，６６３，２２０号公報
【特許文献１２】米国特許第５，２２６，９９２号公報
【特許文献１３】欧州特許出願番号ＥＰ０２１７０３２公報
【特許文献１４】米国特許第５，８５８，５１５号公報
【特許文献１５】米国特許第５，７６６，３８９号公報
【特許文献１６】米国特許第５，１０４，１１６号公報
【特許文献１７】米国特許第５，２２４，４０５号公報
【特許文献１８】米国特許第５，１１０，４０３号公報
【発明の開示】
【発明が解決しようとする課題】
【０００６】
本発明は、特定的に、連続しない材料の第二切断片のような、別の表面上に材料の第一切断片を位置決めするのに有益である。この装置は、材料の第一切断片を受け取る移送点に近づくにしたがって、材料の第二切断片の方向及び位置を積極的に制御する。１つの実施形態において、第一切断片は、該切断片が切断されるアンビルロールから真空コンベアに向かって直接付与される。第一切断片が切断される材料のウエブは、第二切断片上に第一切断片の位置の正確さを高めるために、ウエブから第一切断片を切断する前に、アンビルロール上の溝に保持される。
【０００７】
本発明の１つの態様による、材料の第一切断片を切断し、材料の第二片上に置くための装置は、一般的に、材料の前記第二片を支持し、支持材上の位置に前記第二片を保持するようになった支持材を含む真空コンベアを含む。アンビルロールは、移送ニップを定めるために真空コンベアの可動支持材と、ほぼ対向して取り付けられるホイールを含む。ホイールは、回転軸の周りを回転し、前記第一材料のウエブの端部セグメントを受け取るようになっている。ホイールの回転軸にほぼ平行な軸の周りを回転するように取り付けられた切断ロールは、端部セグメントがホイール上にある時、前記第一材料ウエブ端部セグメントと周期的に係合して第一材料のウエブから材料の第一切断片を切断することができるナイフを含む。ホイールは、その上に前記第一切断片を保持し、前記第一切断片を真空コンベアの可動支持材に運搬して前記第二片上に前記第一切断片を配置する。
【０００８】
本発明の別の態様による装置は、締結部品を切断し、吸収性衣類の製造において集合体の両側に位置される一対のサイドパネル上に該締結部品を機械方向に間隔をあけて配置する。この装置は、一般的に、連続したベルトが周囲経路を動くことができるように取り付けられた、連続したベルト及びローラーからなる真空コンベアを含む。連続したベルトは、その上側に集合体を支持し、更に集合体がコンベアベルトにより移動する時、上側のサイドパネルを位置決めするのに適合している。コンベアベルトの上側部分の下に位置する真空プレナムは、上側部分近傍に真空圧を供給し、コンベアベルトは、ベルトを通してサイドパネルに真空圧を伝達するために多孔性である。アンビルロールは、移送ニップを定めるために、コンベアベルトにほぼ対向する関係で取り付けられた２つのホイールを含む。これらのホイールは、回転軸の周りを回転するようになっていて、各々のホイールは、締結部品材料のそれぞれのウエブの端部セグメントを受け取るようになっている。ホイールの回転軸にほぼ並行な軸まわりに回転可能に取り付けられた切断ロールは、端部セグメントがホイール上にある時、各々のホイール上で締結部品材料端部セグメントと周期的に係合して、締結部品材料のウエブから締結部品を切断するナイフを含む。ホイールは、その上に締結部品を保持し、コンベアベルトの上側に締結部品を運搬して締結部品をそれぞれのサイドパネル上に配置するようになっている。
【０００９】
本発明の更に別の態様による、連続した工程で材料の第二片上に材料の第一切断片を切断し更に配置する方法は、第二材料のウエブから第二片を切断し、コンベア上の制限された位置に第二片を置くことを含む。第一切断片は、アンビルロールと係合する第一材料のウエブから切断され、アンビルロール上をコンベアの移送点へ移送され、第一切断片がコンベア上の移送点で第二片へと移送される。
【００１０】
本発明の更なる態様において、吸収性パンツの製造における集合体に締結部品を付与する方法は、概して、吸収性パンツのためにサイドパネル材料のウエブからサイドパネルを切断し、更に切断されたサイドパネルを、集合体の長さに沿って間隔をもった位置で集合体に取り付けることを含む。サイドパネルの方向及び形態は、サイドパネルが取り付けられた集合体を移送しているコンベア上で制御される。締結部品は、コンベアに近接したアンビルロール上で、締結部品材料のウエブから切断され、アンビルロール上をアンビルロールとコンベアの間の移送点へと移送される。切断された締結部品は、移送点においてアンビルロールからコンベアにより制御されているサイドパネルへと移動させられる。
【００１１】
本発明の他の態様及び特徴は、以下において部分的に明らかになり、更に部分的に指摘されることになる。
【００１２】
（定義）
この明細書の内容の中の以下の単語又は言い回しは、以下のような意味を含むものである。
【００１３】
「接着した」は、２つの要素を接合する、粘着する、結合する、取り付ける、又は同様なことを意味する。２つの要素は、互いが直接接着される時、又は各々が直接中間要素と接着される時のように間接的に互いが接着される時、共に接着されているとみなされるであろう。
【００１４】
「含む」は、包括的な意味又は制限なしの意味であり、付加、言及されていない要素又は方法段階を排除するものではない。
【００１５】
「結合された」は、２つの要素が接合する、粘着する、接着する、取り付ける、又はその様なことを意味する。２つの要素は、互いが直接結合される時、又は各々が直接中間要素と結合されて間接的に互いが結合される時、共に結合されているとみなされる。
【００１６】
「使い棄て」は、洗濯その他の方法により再利用のために修復されることがなく、むしろ、限られた回数の使用の後に廃棄されることを意図した物品を意味する。
【００１７】
「配置された」、「配置する」及びその変形は、１つの要素が別の要素と一体とすることができる、又は１つの要素が別の要素と接着される、又は一緒に配置される、又は近くに配置される、分離した構造とすることができることを意味するものである。
【００１８】
「弾性のある」、「弾性の」及び「弾性」は、材料又は複合体の特性が、変形を起こす力の除去後、元来の大きさ及び形を回復しようとする傾向にあることを意味する。
【００１９】
「エラストマー性」は、緩めた長さの少なくとも２５％まで伸ばされることができ、付与された力を除去すると、その伸びの少なくとも１０％が回復する材料又は複合体を意味する。エラストマー材料又は複合体は、緩めた長さの少なくとも１００％まで、より好ましくは少なくとも３００％まで伸ばされることができ、更に付与された力を除去すると、その伸びの少なくとも５０％が回復するとことが一般的に好まれる。
【００２０】
「布」は、すべての織繊維ウエブ、編み繊維ウエブ、不織繊維ウエブを意味して使用される。
【００２１】
「可撓性」は、順応性があり更に、着用者の身体の一般的形状及び外形に容易に順応するであろう材料を意味する。
【００２２】
「力」は、ある物体から別の物体に加えられる物理的影響であって、自由に動くことができる物体には加速度を生じ、自由に動くことができない物体には変形を生じるものを含む。力は、単位面積当たりのグラムで表わされる。
【００２３】
「図形」は、吸収性物品上に見られる図案、パターン、又は同様のものを意味する。
【００２４】
「親水性」は、繊維と接触する水性液体により湿潤される繊維又は繊維の表面を示す。材料の湿潤度は同様に、接触角度、含まれる液体及び材料の表面張力によって説明されることができる。特定の繊維材料又は繊維材料の混合物の濡れ性測定に適した装置及び技術は、Ｃａｈｎ  ＳＦＡ−２２２表面力分析システム又は実質的に同等のシステムによって提供される。このシステムで計測する時、９０度より小さい接触角度を持つ繊維は「湿潤性のある」又は「親水性」を意味し、一方、９０度より大きい接触角度を持つ繊維は「湿潤性のない」又は「疎水性」を意味する。
【００２５】
「一体の」は、互いが接着された、又は配置された、又は近くに配置された、別々の構造ではなく、むしろ１つの一体的要素の様々な部分を意味するものとして使用される。
【００２６】
「内向き」及び「外向き」は、吸収性物品の中央に対する位置を意味し、特定的には、吸収性物品の縦方向及び／又は横方向に近い、或いは縦方向及び横方向中央から離れた位置を意味する。
【００２７】
「層」は単数で使用される時、１つの要素又は複数の要素という２つの意味を持つことができる。
【００２８】
「液体不透過性の」は、単一層又は多層ラミネートの意味に使用される時、尿のような液体が、液体が接触している点で、層又はラミネートの平面に一般的に垂直方向に、通常の使用状態では層又はラミネートを通過することはないことを意味する。液体又は尿は、液体不透過性層又はラミネートの平面に並行に広がるか又は移送されるものであるが、これはここで用いられる「液体不透過性」の意味に含まれるとはみなされない。
【００２９】
「縦方向」及び「横方向」は、慣用的な意味を持つ。縦方向軸は衣類の平面内にあり、物品を着用した状態で、起立した着用者の体を左右に二分する垂直な平面に対して、ほぼ平行である。横方向軸は物品の平面内にあり、縦方向軸に対しほぼ垂直である。図示された衣類は、横方向より縦方向のほうが長い。
【００３０】
「部材」は、単数で使用される時、１つの要素又は複数の要素の２つの意味を持つことができる。
【００３１】
「不織」及び「不織ウエブ」は、布織り又は編み工程の補助なしに形成される材料及び材料のウエブを意味する。
【００３２】
弾性部材の他の要素への取り付けに関して、「作動関係で接合された」とは、延伸その他同様の手法により、弾性部材が該要素に取り付けられ又は結合された時、或いは熱又は化学品で処理された時、該弾性部材が該要素に弾性特性を与えることを意味し、更に非弾性部材の他の要素への取り付けに関して、部材及び要素は、意図され又は描かれた接合機能を形成させるどんな適した方法ででも取り付けられることができることを意味する。接合、取り付け、結合又は同様のものは、第一部材と第一要素の間に、どの部材も要素に直接接合するように直接的に配置されるか又は、別の部材を使って間接的に配置されることができる。
【００３３】
「外カバー図形」は、衣類の外側表面を観察したとき直接見ることができる図形を意味し、更に再締結可能な衣類に対しては、使用中に行われることになる締結装置の係合の時における衣類の外側表面の観察に関連するものである。
【００３４】
「永久的に接合した」は、吸収性衣類の２つの要素を接合する、粘着する、結合する、取り付ける、又は同様のものを意味し、要素は吸収性衣類の通常の使用状態の間、接合され、更に接合され続ける傾向にある。
【００３５】
「再締結可能な」は、実質的な永久変形又は破壊なしに２つの要素が、解除できる取り付け、分離、及び後続の解除できる再取り付けを可能とする特性を意味する。
【００３６】
「解除できる取り付け」、「解除できる係合」及びその変化形は、２つの要素が結合されているか又は結合でき、要素は、１つ又は両方の要素に分離力が加えられない状態では結合されたままにとどまる傾向にあり、更に、要素は実質的な永久変形又は破壊なしに分離することができることを意味する。要求される分離力は、典型的には、吸収性衣類の着用中に遭遇するものを超えるものである。
【００３７】
「破壊」は、材料が破れる又は引き裂かれることを意味する。張力テストにおいて、この単語は同時に又は段階を経て２つの部分に材料を分離することのすべてか又は、いくつかの材料においては穴の形成を意味する。
【００３８】
「延伸接合した」は、弾性部材が弛緩した長さの少なくとも約２５％まで伸ばされて別の部材に接合した弾性部材を意味する。望ましくは、「延伸接合した」という用語は、他の部材と接合されている時、弾性部材が弛緩した長さの少なくとも約１００％が延び、更により望ましくは少なくとも約３００％が延びる状態を意味する。
【００３９】
「延伸接合したラミネート」は、１つの層がギャザー寄せ可能な層で、もう１つの層が弾性層である、少なくとも２つの層を持つ複合材料を意味する。層は、弾性層が延ばされた状態の時共に接合され、層を弛緩した時ギャザー寄せ可能な層がギャザー付けしながら寄る。
【００４０】
「表面」は、空気、ガス、及び／又は液体に透過性か又は不透過性にかかわらず、どんな層、フィルム、織布、不織布、ラミネート、複合体、又は同様のものも含む。
【００４１】
「張力」は、身体を伸長しようとする単一軸方向の力、又はその伸長に抵抗する身体にある平衡力を含む。
【００４２】
「熱可塑性」は、熱に曝された時柔軟になり、更に実質的に室温に冷却された時柔軟ではない状態に戻る材料を示す。
【００４３】
これらの用語は、明細書の他の部分で別の用語により定義されることがある。図面の幾つかにわたり、対応する参照番号は対応する部分で示される。
【発明を実施するための最良の形態】
【００４４】
本発明の方法及び装置は、種々異なる衣類を形成するために使用することができる。このような衣類の例は、オムツ、訓練用パンツ、婦人用衛生製品、失禁用製品、他の個人的介護又は健康用衣類、水泳パンツ、運動用衣服、パンツ及びショーツ、及び同様のもののような使い棄て吸収性物品を含む。説明を容易にするために、本発明の方法及び装置は、以下において、図１に２０で示すように、子供の訓練用パンツの形成と関連して示される。特に、方法及び装置は、１９９９年１１月２２日に付与されたＡ．Ｌ．Ｆｌｅｔｃｈｅｒ他の「再締結可能な側部シームを備えた吸収性物品」という名称の米国特許出願一連番号０９／４４４，０８３（２０００年６月２９日に出版されたＰＣＴ出願番号ＷＯ  ００／３７００９に対応して）に記載されており、この特許は引用によりここに組み入れられる。訓練用パンツ２０は、１９９０年７月１０日に付与されたＶａｎ  Ｇｏｍｐｅｌ他の米国特許第４，９４０，４６４号、１９９８年６月１６日に付与されたＢｒａｎｄｏｎ他の米国特許第５，７６６，３８９号に記載されている方法及び装置を使用して形成することができ、これらの特許は、引用によりここに組み入れられる。
【００４５】
図面、特に図１を参照すると、訓練用パンツ２０は部分的に締結された状態で図示されており、吸収性シャーシ３２及び締結装置８０を含む。吸収性シャーシ３２は、前側腰領域２２、後側腰領域２４、前後側腰領域に相互結合した股領域２６、着用者に接触するように形成された内側表面２８、及び内側の反対側で着用者の衣服に接触するように形成された外側表面３０を持つ。図２及び図３を付加的に参照すると、吸収性シャーシ３２は又、横方向に対向する１対の側部縁３６及び縦方向に対向する１対の腰部縁を持ち、それぞれが前側腰部縁３８及び後側腰部縁３９を示す。前側腰領域２２は前側腰部縁３８と連続的であり、後側腰領域２４は後側腰部縁３９と連続的である。
【００４６】
図示された吸収性シャーシ３２は、平坦に置かれた時長方形である（他の形であることもあるが）複合構造３３を含み、外側へ延びる１対の横方向両側の前側サイドパネル３４及び１対の横方向両側の後側サイドパネル１３４を持つ。複合構造３３及びサイドパネル３４及び１３４は、図１に示すように、２つ或いはそれより多い分離した要素を含むことができるか、又は一体化して形成することができる。一体化して形成されたサイドパネル３４、１３４及び複合構造３３は、少なくとも幾つかの共通した材料、例えば身体側ライナー、フラップ複合体、外カバー、他の材料及び／又はそれらの組み合わせなどを含むものであり、及び／又は一体の弾性、延伸可能な、又は非延伸性パンツを定めるものである。図示された複合構造３３は、外カバー４０、外カバーと重ねた関係で結合された身体側ライナー４２（図１及び図３）、外カバーと身体側ライナーの間に位置する吸収性組立体４４（図３）、及び１対の収容フラップ４６（図３）を含む。図示された複合構造３３は、前側及び後側腰部縁３８及び３９の部分を形成する両側縁４５、及び吸収性シャーシ３２の側部縁３６の部分を形成する両側側部縁４７（図２及び図３）を持つ。参照のために、矢印４８及び４９は、訓練用パンツの縦方向軸及び横方向又は横向きの軸の方向をそれぞれ示す。
【００４７】
図１に部分的に示されている締結された状態の訓練用パンツ２０では、前側及び後側サイドパネル３４、１３４は、腰部開口５０及び１対の脚部開口５２を持つ３次元のパンツ形態を定めるために共に固定されている。前側腰部領域２２は、着用される時着用者の前側に位置される訓練用パンツ２０の部分を含み、後側腰部領域２４は、着用される時着用者の後側に位置される訓練用パンツの部分を含む。訓練用パンツの股領域２６は、着用される時着用者の脚部の間に位置し、着用者の低い胴を覆う訓練用パンツ２０の部分を含む。前側及び後側サイドパネル３４及び１３４は、着用される時着用者の臀部の上に位置される訓練用パンツ２０の部分を含む。吸収性シャーシ３２の腰部縁３８及び３９は、着用される時着用者の腰部を囲み、更に腰部開口５０（図１）を定めるように形成される。股領域２６の側部縁３６の部分は、概して脚部開口５２を定める。
【００４８】
吸収性シャーシ３２は、着用者から排出されるどんな滲出液も含む及び／又は吸収するように形成されている。例えば、吸収性シャーシ３２は、必須ではないが望ましくは、身体滲出物の横方向流れに対しバリアを提供するように形成された、１対の収容フラップ４６を含む。フラップ弾性部材５３（図３）は、当業者によく知られているどんな適した手法ででも、各々の収容フラップ４６と作動関係で接合されることができる。弾性化された収容フラップ４６は、着用者の身体に対してシールを形成するために、訓練用パンツ２０の少なくとも股領域２６で直立した形態を呈する、取り付けられていない縁を定める。収容フラップ４６は、吸収性シャーシ３２の側部縁３６に沿って位置させることができ、吸収性シャーシの全体の長さに沿って縦方向に延びることができるか、又は、吸収性シャーシの長さに沿って部分的にだけ延びることもある。収容フラップ４６の適した構成及び配列は、概して当業者によく知られていて、１９８７年１１月３日に付与されたＥｎｌｏｅ他の米国特許第４，７０４，１１６号に記載されており、これは引用によりここに組み入れられる。
【００４９】
身体滲出液の収容及び／又は吸収を更に高めるために、訓練用パンツ２０は必須ではないが望ましくは、当業者に知られているように前側腰部弾性部材５４、背側腰部弾性部材４６、及び脚部弾性部材５８（図３）を含む。腰部弾性部材５４及び５６は、両側腰部縁３８及び３９に沿って、外カバー４０及び／又は身体側ライナー４２と作動関係で接合することができ、腰部縁の一部を超えて又は全体を超えて延びることができる。脚部弾性部材５８は、両側側部縁３６に沿って外カバー４０及び／又は身体側ライナー４２と作動関係で接合することができ、訓練用パンツ２０の股領域２６に位置することができる。脚部弾性部材５８は、複合構造３３の各々の側部縁４７に沿って縦方向に配列されることができる。各々の脚部弾性部材５８は、前側末端点６３及び後側末端点６５を持ち、これは脚部弾性部材により成された弾性ギャザー寄せの縦方向端部を表わす。明確にするために、パンツ２０は図２及び図３にギャザー寄せをしないで示されている。前側末端点６３は、前側サイドパネル３４の縦方向の最も内側に近接して位置されることができ、後側末端点６５は、後側サイドパネル１３４の縦方向の最も内側に近接して位置されることができる。
【００５０】
フラップ弾性部材５３、腰部弾性部材５４及び５６、及び脚部弾性部材５８は、どんな適した弾性材料からでも形成することができる。当業者によく知られているように、適した弾性材料は、紙、天然ゴムのストランド又はリボン、合成ゴム、又は熱可塑性エラストマー性ポリマーを含む。弾性材料は延伸され更に、基体に粘着され、ギャザー寄せされた基体に粘着され、又は基体に粘着された後、例えば熱の付与により弾性収斂力が基体に与えられて、弾性化されるか或いは収縮される。１つの特定の実施形態において、例えば、脚部弾性部材５８は、米国デラウエア州、ウィルミントン所在のＥ．Ｉ．Ｄｕ  Ｐｏｎｔｄｅ  Ｎｅｍｏｕｒｓ  ａｎｄ  Ｃｏｍｐａｎｙより入手可能なＬＹＣＲＡ（登録商標）の商標名で販売されている、複数の、乾式紡糸され撚り合わされた多フィラメントスパンデックスエラストマー性の糸を含む。
【００５１】
外カバー４０は、望ましくは実質的に液体不透過性の材料を含み、弾性で、延伸可能なもの、又は非延伸性とすることができる。外カバー４０は、液体不透過性材料の単一層とすることができるが、望ましくは、少なくとも１つの層が液体不透過性である多層ラミネート構造を含む。例えば、外カバー４０は、ラミネート粘着剤、超音波接着、熱接着、又は同様のものによって適切に接合される、液体透過性外部層及び液体不透過性内部層を含むことができる。ビーズ、スプレー、並行渦巻き、又は同様のもののように連続して又は断続的に付与されることができる、適したラミネート粘着剤は、米国ウイスコンシン州、ワワトサのＦｉｎｄｌｅｙ  Ａｄｈｅｓｉｖｅｓ，  Ｉｎｃ．より、又は、米国ニュージャージー州、ブリッジウオーターのＮａｔｉｏｎａｌ  Ｓｔａｒｃｈ  ａｎｄ  Ｃｈｅｍｉｃａｌ  Ｃｏｍｐａｎｙより入手することができる。液体透過性外部層は、どんな適した材料ともすることができ、望ましくは布のような手触りを一般的に与えるものとすることができる。このような材料の１つの例として、２０ｇｓｍ（平方メートル当たりのグラム）のスパンボンドポリプロピレン不織ウエブがある。外部層は又、液体透過性身体側ライナー４２が形成される材料から形成されることができる。外部層が液体透過性である必要はないが、着用者に比較的布のような感触を与えることが望ましい。
【００５２】
外カバー４０の内部層は、液体及び蒸気のどちらにも不透過性とすることができるか、或いは液体不透過性及び蒸気透過性とすることができる。内部層は薄いプラスチックフィルムから製造されることができ、他の可撓性液体不透過性材料も又使用されることができる。内部層、或いは単一層の場合の液体不透過性外カバー４０は、使用済みの材料が、着用者及び介護人と同様にシーツ及び衣服などの物品を湿潤することを防ぐ。液体不透過性内部層、或いは単一層の液体不透過性外カバー４０としての使用に適した液体不透過性フィルムは、米国イリノイ州、シャンバーグ所在のＰｌｉａｎｔ  Ｃｏｒｐｏｒａｔｉｏｎ  ｏｆ  Ｓｃｈａｕｍｂｅｒｇより商業的に入手可能な、０．０２ミリメートルのポリエチレンフィルムである。
【００５３】
外カバー４０が単一層材料である場合には、より布のような外観を付与するためにエンボス加工されるか、及び／又はつや消し加工されることができる。前に述べたように、液体不透過性材料は、蒸気を使い棄て吸収性物品の内側から漏出させ、一方で液体が外カバー４０から通過することを妨げる。適した「通気性」材料は、マイクロポーラスポリマーフィルム又は、望まれる程度の液体不透過性を与えるために被膜されるか又はそうでなければ処理される不織布から形成される。適したマイクロポーラスフィルムには、日本の東京に所在する三井東圧化学株式会社より商業的に入手可能なＰＭＰ−１フィルム材料又は、米国ミネソタ州ミネアポリスの３Ｍ  Ｃｏｍｐａｎｙより商業的に入手可能なＸＫＯ−８０４４ポリオレフィンフィルムがある。
【００５４】
図１及び図２に示すように、訓練用パンツ２０及び、特に外カバー４０は、１つ又はそれより多い外観関連部品を含むことができる。外観関連部品の例は、これに限られるものではないが、図形、使用者に製品形状を一層明瞭になるようにするか又は見えるようにするために顕示或いは強調するようにされた脚部及び腰部開口、例えば弾性脚部バンド、弾性腰部バンド、男子用擬似「ジッパー付き開口」、女子用ひだ飾りなどの機能的部品に似せた製品の顕示或いは強調領域、製品サイズの外観を変化させるための製品の強調領域、製品の表示用湿潤指標、温度指標、及び同様のものの表示、製品内の後部ラベル又は前部ラベルの表示、及び製品の望ましい位置における表示用文章指示を含む。
【００５５】
図示した訓練用パンツ２０は、小さい女子の使用のために設計されていて、表示した外カバー図形６０（図２）を含む。この設計では、表示した図形６０は、主となる絵画的イメージ６１、擬似腰部ひだ飾り６２、及び擬似脚部ひだ飾り６４を含む。主となる絵画的イメージ６１は、虹、太陽、雲、動物キャラクタ、ワゴン及び風船を含む。女子や介護人を美的に及び／又は機能的に喜ばせるために、どんな適した設計も、小さい女子による使用を目的とした訓練用パンツに利用することができる。外観関連部品は、訓練用パンツ２０の選択された位置に配置されることが望ましく、これは１９９８年６月１６日付けのＢｒａｎｄｏｎ他の米国特許第５，７６６，３８９号に記載されている方法を使用して実行されることができ、その特許の全体は引用によりここに組み入れられる。主となる絵画的イメージ６１は、訓練用パンツ２０の縦方向中央線に沿って前側腰部領域２２に位置されることが望ましい。
【００５６】
液体透過性身体側ライナー４２は、外カバー４０及び吸収性組立体４４に重なるように示されていて、外カバー４０と同じ寸法を持つこともできるが、必ずしも持つ必要はない。身体側ライナー４２は、順応性があり、柔軟な感触で、更に子供の肌に刺激を与えないことが望ましい。更に身体側ライナー４２は、着用者に比較的乾燥した表面を与え、液体がその厚さを通って容易に貫通するように、吸収性組立体４４より親水性が少ないものとすることができる。代替的に、身体側ライナー４２は、より親水性のあるものとすることができ、すなわち着用者に湿潤した感覚を増加させるため、比較的湿潤した表面を与える目的で、吸収性組立体４４と同じ湿気に対する親和性を本質的に持つことができる。この湿潤した感覚は、訓練補助として有益な場合がある。親水性／疎水性特性は、望ましい湿潤感覚又は漏れ性能を達成するために、身体側ライナー４２及び吸収性組立体４４の長さ、幅、及び深さによって種々異ならせることができる。
【００５７】
身体側ライナー４２は、合成繊維（例えば、ポリエステル又はポリプロピレン繊維）、天然繊維（例えば、木質又は綿繊維）、天然繊維及び合成繊維の組み合わせ、多孔性発泡体、網状発泡体、多孔プラスチックフィルム、又は同様のもののようなウエブ材料から広く選択されて製造されることができる。様々な織布及び不織布は、身体側ライナー４２として使用されることができる。例えば、身体側ライナーはポリオレフィン繊維のメルトブローン又はスパンボンドウエブで形成されることができる。身体側ライナーは又、天然繊維及び／又は合成繊維から形成されるボンデッド・カーデッドウエブとすることができる。身体側ライナーは、実質的に疎水性材料から形成されることができ、更に疎水性材料は、望ましい程度の湿潤性及び親水性を与えるために、任意ではあるが界面活性剤で処理されるか又は、そうでなければ加工されることができる。例えば材料は、米国ノースカロライナ州マウントホリー所在のＨｏｄｇｓｏｎ  Ｔｅｘｔｉｌｅ  ＣｈｅｍｉｃａｌｓのＡｈｃｏｖｅｌ  Ｎ−６２、及びペンシルベニア州アンブラー所在のＨｅｎｋｅｌ  ＣｏｒｐｏｒａｔｉｏｎのＧｌｕｃｏｐａｎ  ２２０ＵＰを実効比３：１で含む界面活性剤混合物の約０．４５重量％で処理された表面とすることができる。界面活性剤は、スプレー、印刷、ブラシコーティング、又は同様のもののようなどんな従来の方法ででも付与することができる。界面活性剤は身体側ライナー４２全体に付与されることができ、或いは縦方向中央線に沿った中央部分のような、身体側ライナーの特定の部分に選択的に付与されることができる。
【００５８】
適した液体透過性身体側ライナー４２は、約２７ｇｓｍの基本重量を持つ不織二成分ウエブである。不織二成分ウエブは、スパンボンド二成分ウエブ又はボンデッド・カーデッド二成分ウエブとすることができる。適した二成分ステープル繊維は、日本の大阪に所在するＣＨＩＳＳＯ  Ｃｏｒｐｏｒａｔｉｏｎより入手可能な、ポリエチレン／ポリプロピレン二成分繊維を含む。この特定の二成分繊維では、ポリプロピレンが繊維の芯を形成し、ポリエチレンが繊維の鞘を形成する。多凸部、横方向並列配置、端部突合せ、又は同様のもののような他の繊維の方向が可能である。外カバー４０、身体側ライナー４２及びパンツを形成するために使用される他の材料は、エラストマー性又は非エラストマー性材料を含むことができる。
【００５９】
吸収性組立体４４（図３）は、外カバー４０と身体側ライナー４２との間に位置し、粘着剤、超音波接着、熱接着、又は同様のもののどんな適した手段によっても接合されることができる。吸収性組立体４４は、概して圧縮可能な、適合可能な、子供の肌に刺激を与えない、及び液体及び身体滲出物を吸収し保持することができる、どんな構造にでもすることができ、更に当業者が普通に使用する、広く種々異なるサイズ及び形で、更に広く種々異なる液体吸収性材料から製造されることができる。例えば吸収性組立体４４は、セルロース系フラフウエブのような、超吸収性材料として広く知られている高吸収性材料の粒子と混合された、親水性繊維のマトリックスを適度に含むことができる。特定の実施形態において、吸収性組立体４４は、木質パルプフラフのようなセルロース系フラフのマトリックス及び超吸収性ヒドロゲル形成粒子を含む。木質パルプフラフは、合成繊維、ポリマー繊維、メルトブローン繊維、又は短く切断したホモフィル二成分合成繊維及び天然繊維と交換することができる。超吸収性粒子は、実質的に親水性繊維と均一に混合されることができるか、或いは不均一に混合されることができる。フラフ及び超吸収性粒子は又、身体滲出物をよりよく収容し更に吸収するために、吸収性組立体４４の望ましい領域に選択的に位置されることができる。超吸収性粒子の濃度は又、吸収性組立体４４の厚さによって種々異ならせることができる。代替的に、吸収性組立体４４は、繊維性ウエブのラミネート及び超吸収性材料、又は特定の領域に超吸収性材料を維持するようになった手段を含むことができる。
【００６０】
適した超吸収性材料は、天然、合成、及び変成天然ポリマー及び材料から選択することができる。超吸収性材料は、シリカゲルのような無機材料、又は例えば中性ナトリウムポリアクリル酸の架橋結合したポリマーのような有機化合物とすることができる。適した超吸収材料は、米国ミシガン州ミッドランド所在のＤｏｗ  Ｃｈｅｍｉｃａｌ  Ｃｏｍｐａｎｙ及びドイツ連邦共和国クレーフェルトＤ−４７８０５のＳｔｏｃｋｈａｕｓｅｎ  ＧｍｂＨ  ＆  Ｃｏ．ＫＧなどの様々な商業的供給者から入手可能である。典型的に、超吸収性材料は、水の場合その重量の少なくとも約１５倍を吸収することができ、更に望ましくは、水の場合その重量の約２５倍より多く吸収することができる。
【００６１】
１つの実施形態において、吸収性組立体４４は、木質パルプフラフ及び超吸収性材料の混合物を含む。パルプの好ましい形式の１つに、米国アラバマ州チルダースバーグのＵ．Ｓ．Ａｌｌｉａｎｃｅより入手可能な登録商標ＣＲ１６５４で特定され、主に軟材繊維及び約１６％の硬材繊維を含む、漂白された高吸収性硫酸塩木質パルプである。一般論として超吸収性材料は、吸収性組立体の総重量を基本にして０から約９０重量％の量で吸収性組立体４４に存在する。吸収性組立体４４は、約０．１０から約０．３５グラム／立方センチメートルの範囲内の適した密度を持つ。吸収性組立体４４は、吸収性組立体の一体性及び／又は形状の維持を助けるような適当なティッシュラップにより、ラップするか又は包んでもよいし、或いはそうしなくてもよい。
【００６２】
吸収性シャーシ３２は又、吸収性組立体４４の互いに対向する表面に沿って液体を受け取り、一時的に貯蔵し、及び／又は移動することを主に意図された、他の材料を組み込むことができ、これにより吸収性組立体の吸収性能力を最大にするものである。１つの適した材料は、サージ層（示していない）と呼ばれていて、約５０から約１２０グラム／平方メートルの基本重量を持ち、６０％３デニールのポリエステル芯／ポリエチレン鞘を含むＴ−２５６型二成分繊維及び４０％６デニールのＴ−２９５型ポリエステル繊維、どちらも米国ノースカロライナ州サリズベリーのＫｏｓａ  Ｃｏｒｐｏｒａｔｉｏｎより商業的に入手可能であるが、の均一な混合物の通気性ボンデッド・カーデッドウエブを含む材料を含む。
【００６３】
前述したように、図示した訓練用パンツ２０は、吸収性シャーシ３２のそれぞれの側に位置する、前側及び後側サイドパネル３４及び１３４を持つ。前側サイドパネル３４は、シーム６６に沿って、前側及び後側腰部領域２２及び２４それぞれにおいて、吸収性シャーシ３２の複合構造３３と永久的に接合することができる。より特定的には、図２及び図３で最もよく示されているように、前側サイドパネル３４は、前側腰部領域２２における複合構造３３の側部縁４７に永久的に接合し、さらに側部縁を越えて外向きに、横方向に延びることができ、後側サイドパネル１３４は、後側腰部領域２４において複合構造３３の側部縁４７に永久的に接合し、さらに側部縁を越えて外向きに、横方向に延びることができる。サイドパネル３４及び１３４は、粘着剤、熱又は超音波接着などの、当業者によく知られた接着機構を使用して、複合構造３３に接合されることができる。代替的に、サイドパネル３４及び１３４は、複合構造３３の部品の一体化した部分として形成されることができる。例えば、サイドパネルは、外カバー４０より概して広い部分、身体側ライナー４２、及び／又は吸収性シャーシ３２の別の部品を含むことができる。前側及び後側サイドパネル３４及び１３４は、締結システム８０により図示されるように、永久的に接合されるか又は互いが剥離可能な状態で係合されることができる。
【００６４】
図示されたサイドパネル３４及び１３４は、シーム６６から横方向に離れた位置にある外側縁６８、訓練用パンツ２０の縦方向中央に向かって設置された脚部端縁７０、及び訓練用パンツの縦方向端に向かって設置された腰部端縁７２をそれぞれ持つ。脚部端縁７０及び腰部端縁７２は、複合構造３３の側部縁４７から外側縁６８に向かって延びる。サイドパネル３４及び１３４の脚部端縁７０は、吸収性シャーシ３２の側部縁３６の部分を形成する。後側腰部領域２４では、脚部端縁７０は、必須ではないが、パンツの前側と比較して、パンツ２０の後側に向かってより大きな遮蔽を施すために、横方向軸４９に対して湾曲する及び／又は角度を付けることが望ましい。腰部端縁７２は、横方向軸４９に並行であることが望ましい。前側サイドパネル３４の腰部端縁７２は、吸収性シャーシ３２の前側腰部縁３８の部分を形成し、後側サイドパネル１３４の腰部端縁７２は、吸収性シャーシの後側腰部縁３９の部分を形成する。
【００６５】
改善した適合性及び外観の特定の実施形態において、サイドパネル３４、１３４は、縦方向軸４８に並行に計測して、同様に縦方向軸４８に並行に計測したパンツの全体の長さの約１５％又はそれより大きい、更に特に約２５％又はそれより大きい平均長さを持つことが望ましい。例えば、全体が５４センチメートルの長さを持つ訓練用パンツ２０では、サイドパネル３４、１３４は望ましくは、約１５センチメートルのような、約１０センチメートル又はそれより大きい平均長さを持つ。各々のサイドパネル３４、１３４は、腰部開口５０から脚部開口５２の１つに延びるが、図示された後側サイドパネル１３４は、図２及び図３に最もよく示されているように、取り付け線６６から外側縁６８に移動するにしたがって連続して長さが減少する。
【００６６】
各々のサイドパネル３４及び１３４は、１つ又はそれより多い個々の、異なる材料片を含むことができる。特定の実施形態において、例えば、各々のサイドパネル３４、１３４は、シームで接合された第一及び第二サイドパネル部分を含むことができ、或いは中に折りたたまれた（示されていない）単一の材料片を含むことができる。
【００６７】
サイドパネル３４、１３４は、望ましくは、必須ではないが、訓練用パンツ２０の横方向軸４９に、ほぼ平行な方向に延伸することができる弾性材料を含む。適した弾性材料は、訓練用パンツに弾性サイドパネルを組み込む１つの方法も、１９９０年７月１０日付けのＶａｎ  Ｇｏｍｐｅｌ他の米国特許第４，９４０，４６４号、１９９３年７月６日付けのＰｏｈｊｏｌａの米国特許第５，２２４，４０５号、１９９２年４月１４日付けのＰｏｈｊｏｌａの米国特許第５，１０４，１１６号、１９９１年９月１０日付けのＶｏｇｔ他の米国特許第５，０４６，２７２号に記載されており、これらのすべては引用によりここに組み入れられる。特定の実施形態において、弾性材料は、延伸熱接合ラミネート（ＳＴＬ）、ネック付与状態で接合したラミネート（ＮＢＬ）、可逆的にネック付与されたラミネート、又は延伸接合したラミネート（ＳＢＬ）材料を含む。これらの材料形成の方法は、当業者によく知られており、１９８７年５月５日付けのＷｉｓｎｅｓｋｉ他の米国特許第４，６６３，２２０号、１９９３年７月１３日付けのＭｏｒｍａｎ他の米国特許第５，２２６，９９２号、１９８７年４月８日付けのＴａｙｌｏｒ他の欧州特許出願Ｎｏ．ＥＰ０２１７  ０３２に記載されており、引用によりここに組み入れられる。代替的に、サイドパネル材料は、外カバー４０又は身体側ライナー４２；機械的に予め引っ張られた複合体；又は延伸可能であるが弾性のない材料に適したものとして上記されたもののように、他の織成または不織材料を含むものである。
【００６８】
図示された訓練用パンツ２０は、着用者の腰部周りに訓練用パンツを再締結可能な状態で固定するための締結システム８０を含む。図示された締結システム８０は、第二締結部品８４に対応する、再締結可能な係合に適合された締結部品８２を含む。１つの実施形態において、各々の第一締結部品８２の１つの表面は、その表面から突出する複数の係合要素を含む。第一締結部品８２の係合要素は、第二締結部品８４の係合要素を、繰り返して係合及び取り外すようになった。
【００６９】
締結部品は、サイドパネルに接合された別々の要素を含むものとすることができ、或いは、サイドパネルと一体に形成することができる。すなわち、特に特定されない限り、「締結部品」という用語は、締結用具として機能する別々の部品、及び締結用具として機能するサイドパネルのような材料の領域を含む。更に単一材料は、材料の異なる領域が別々の締結用具として機能する範囲まで、複数の締結部品を定めることができる。締結部品８２、８４は、サイドパネル上に、吸収性シャーシ上のようなサイドパネルの間に、或いはそれら２つの組み合わせの状態で位置させることができる。図示した実施形態において、第二締結部品８４は各々の後側サイドパネル１３４の領域を含む。後側サイドパネル１３４は、ループ材料から形成され、フック材料の第一締結部品は前側サイドパネル３４に配列される。第二締結部品８４に対応する「領域」は、図示された実施形態における場合、後側サイドパネル１３４各々の全体の内側表面と同一の広がりを持つことができる。一般的に、締結部品が係合されている時、第一締結部品８２と係合する内側表面の領域は、第二締結部品８４とみなされる。このように図示された実施形態は、前側サイドパネル３４から分離した締結部品（第一締結部品８２）と、後側サイドパネル１３４の部分である締結部品（第二締結部品８４）の組み合わせを表わす。
【００７０】
締結部品８２、８４は、接着締結用具、粘着性締結用具、機械締結用具、又は同様のもののような、吸収性物品に適したどんな再締結可能な締結用具も含むことができる。特定の実施形態において、締結部品は改善された性能のために機械部品を含む。適した機械部品は、フック、ループ、バルブ、マッシュルーム、矢じり、ステム上のボール、雌雄接続部品、バックル、スナップ、又は同様のもののような相互係合した幾何学的な形の材料により構成されることができる。
【００７１】
再締結可能な締結システム８０は、パンツ状製品の内側を容易に観察することを可能にする。必要ならば、締結システム８０は又、パンツ２０が迅速に更に容易に除去されることを可能にする。これは、パンツが汚い排出物を収容している時特に有益である。訓練用パンツ２０にとって、介護人はパンツ状製品を完全に除去し、更に子供の靴及び衣服を除去することなしに、新しい物と取り替えることができる。
【００７２】
前に述べたように、図示した実施形態において、第一締結部品８２はフック締結用具を含み、第二締結部品８４は補足的なループ締結用具を含む。別の特定した実施形態において、第一締結部品８２はループ締結用具を含み、第二締結部品８４は補足的なフック締結用具を含む。図１に示されている訓練用パンツ２０は、後側サイドパネル１３４が、便利なように前側サイドパネル３４に重なっていることを示しているが、訓練用パンツ２０は、前側サイドパネルが後側サイドパネルに重なるように構成されることもできる。当業者は、フック及びループの形状、密度及びポリマー組成物が、締結部品８２、８４の間に望ましい程度の係合を得るために、選択されることができることを認識するであろう。より強力なフック材料は、より大きな平均高さのフック、大きな割合で方向が揃えられたフック、又はより強力なフック形状を備えた材料を含むものである。
【００７３】
ループ締結用具は、典型的には、材料の少なくとも１つの表面から上方に向かって延びる、複数のループ部材を持つ布又は不織材料を含む。ループ材料は、アクリル、ポリアミドポリエチレン、ポリプロピレン、又はポリエステルなどのような、どんな織成または不織材料からも形成されることができ、更にラップ編み、ステッチ接合又はニードルパンチのような方法により形成することができる。ループ材料は又、エラストマー性及び非エラストマー性複合体を含む、カーデッド、スパンボンド、又は他の不織ウエブ或いは複合体のような、交絡させることができるどんな繊維構造も、又は引っ掛け用フック材料も含むことができる。適したループ材料は、米国ノースカロライナ州グリーンズボロのＧｕｉｌｆｏｒｄＭｉｌｌｓ，  Ｉｎｃ．よりＮｏ．３６５４９の商標で入手可能である。別の適したループ材料は、１９９９年１月１２日付けのＳｔｏｋｅｓ他の米国特許第５，８５８，５１５号に記載されたような、パターン付けされた非接合ウエブを含むことができる。
【００７４】
フック締結用具は典型的に、ベースの又は裏側構造、及び裏側構造の少なくとも１つの表面から上方向に延びる、複数のフック材料を持つ布又は材料を含む。可撓性の布を含むことが望ましいループ締結用具に反して、フック材料は有益に、フック材料が変形し更に衣服又は他の品目を引っ掛ける結果として、締結部品の故意ではない取り外しを最小にするために弾性のある材料を含む。ここで用いられる「弾性のある」という用語は、係合された後、嵌合し補足的に相互係合された材料から取り外され、予め定められた形状を回復するために、予め定められた形状及び相互係合された材料の特性を持つ、相互係合された材料を意味する。適したフック材料は、ポリアミド、ポリエチレン、ポリプロピレン又は別の適した材料から、型取りされるか又は押し出されることができる。締結部品８２、８４にとって適した単一方向フック材料は、オランダ、アムステルダムのＶｅｌｃｒｏ  Ｉｎｄｕｓｔｒｉｅｓ  Ｂ．Ｖ．、又はその支社のような商業的供給者から入手可能で、Ｖｅｌｃｒｏ  ＨＴＨ−８２９と表示される約０．９ミリメートル（３５ミル）の厚さを持つ単一方向性フックパターン、及びＨＴＨ−８５１と表示される約０．５ミリメートル（２０ミル）の厚さを持つ単一方向性フックパターンがあり、ＣＳ−６００と表示される特別な材料を含む、米国ミネソタ州、セントポールのＭｉｎｎｅｓｏｔａ  Ｍｉｎｉｎｇ  ＆  Ｍａｎｕｆａｃｔｕｒｉｎｇ  Ｃｏ．から入手可能なものとする。
【００７５】
特に図２を参照すると、第一締結部品８２は前側サイドパネル３４の外側表面３０に位置される。第一締結部品８２は、腰部端縁７２に隣接又は近接して前側サイドパネル３４の外側縁６８に沿って配置されることが望ましい。例として、第一締結部品８２は、約０から約２５ミリメートルの範囲で、前側サイドパネル３４の外側縁６８から内側に間隔を持つことができる。締結部品（示されていない）は又、サイドパネル３４、１３４の外側縁６８を超えて横方向外に延びることができる。
【００７６】
訓練用パンツ２０は、２つ又はそれより多い異なった領域で、再締結可能な状態で第二締結部品８４と結合するために、前側腰領域２２に位置された一体の第二締結材料（示されていない）を含むことができ、これは第一締結部品８４を定める。特定の実施形態において、締結部品８２、８４は、腰部領域２２、２４の一体の部分を含むことができる。例えば、エラストマー性前側又は後側サイドパネル３４、１３４の１つは、対向する腰領域に位置されたもう１つの締結部品（８２又は８４）と取り外し可能な状態で係合可能な材料を含むことができるように、締結部品（８２又は８４）の１つとして機能することができる。
【００７７】
図示した実施形態の第一締結部品８２は長方形とし、代替的に四角、丸、楕円、湾曲した又はそうでなければ非長方形の形とする。特定の実施形態において、各々の締結部品８２は、訓練用パンツ２０の縦方向軸４８にほぼ並行に長く延び、更に訓練用パンツの横方向軸４９にほぼ並行に横に延びる。例えば、約９から約１５キログラム（２０−３０ポンド）の子供にとって、第一締結部品８２の長さは、約１０センチメートルのような約５から約１３センチメートルとすることが望ましく、更に幅は、約１センチメートルのような約０．５から約３センチメートルとすることが望ましい。特定の実施形態において、第一締結部品８２は、長さ対幅の比が、約２から約２５のような約２又はそれより大きく、更に特定的には約５から約８のような約５又はそれより大きい。大人用製品のような他の実施形態にとって、１つ又はそれより多い締結部品が、複数の比較的小さい締結要素を含むことが望ましい。この場合、締結部品又は個々の締結要素は、例えば約２又はそれより小さい、更に１又はそれより小さい、より小さい長さ対幅の比を持つことができる。
【００７８】
図１に示すように、締結部品８２、８４が取り外し可能な状態で係合されたときと、股領域２６の吸収性シャーシ３２の側部縁３６は脚部開口５２を定め、サイドパネル３４、１３４の腰部端縁７２を含む吸収性シャーシの腰部縁３８及び３９は、腰部開口５０を定める。脚部開口５２の形成を改善するために、幾つかの実施形態において、前側サイドパネル１３４が、図２及び３で示すように、後側サイドパネル１３４と縦方向に間隔を持つことが望ましい。例えば、前側サイドパネル３４は、パンツ２０の全体の長さの約２０パーセント又はそれより大きい、特定的に約２０から約７５パーセント、更により特定的に約３５から約５０パーセントに等しい距離で、後側サイドパネル３４から縦方向に間隔を持つことができる。
【００７９】
締結部品８２、８４は、係合される時、必須ではないが、腰部開口５０と脚部開口５２の間の全体の距離が実質的に延びることが望ましい、再締結可能な係合シーム８８（図１）を定める。より特定的に、係合シーム８８は、腰部開口５０及び各々の脚部開口５２の間の距離の、この距離は縦方向軸４８に並行に計測されるものであるが、約７５から１００パーセント、更に特定的に約９０から約９８パーセントを覆うことができる。腰部及び脚部開口５０及び５２の間の全体の距離が実質的に延びるように、係合シーム８８を構成するために、第一締結部品８２は、前側サイドパネル３４の腰部端縁７０と脚部端縁７２の間の距離の、約７５から１００パーセント、更により特定的には約９０から約９８パーセントを覆うように形成されることができる。他の実施形態においては（示していない）、締結部品は、腰部開口５０と脚部開口５２の間の距離の小さい部分、例えば約２０から約７５パーセントを覆う大きさの複数の小さい締結要素を含むものとすることができるが、腰部開口と脚部開口の間の距離の大きい割合を該小さい締結要素が占めるようにするために、これら締結要素は間隔をあけて配置される。
【００８０】
図４は、予め締結された衣類の形成に使用するための、更により特定的には、訓練用パンツ２０の部分的形成及び、訓練用パンツに第一締結部品８２の１つを付与するための本発明の装置を概して示している。前に示したように、締結部品の他の配列は、本発明の範囲を外れることなく使用されることができる。概して本発明には、サイドパネルとは別の１つ又は２つの締結部品をサイドパネル３４、１３４に付与するための特別の実用性がある。しかしながら、本発明の原理は、締結部品の組立体を超えて、部分的に組み立てられた訓練用パンツにまで拡張でき、更に訓練用パンツ又は他の吸収性物品の組立体を超えて拡張できる。訓練用パンツ２０の様々な部品は、例えば接着剤、熱及び／又は超音波接合のような、当業者によく知られた手段で結合されることができる。望ましくは、部品のほとんどは、製造効率の改善及び原材料費の減少のために超音波接合を使用して結合される。フレーム及び取り付け構造、超音波及び接着剤接合装置、移送コンベア、移送ロール、ガイドロール、張力ロール、及び同様のものを含めて、当業者によく知られ更に理解されている衣類製造装置は、図４に示されていない。本装置の使用に適した吸収性供給機構、ウエブ送り出し部、コンベアシステム、表示システム、作動システム、制御システム及び同様のものは、１９９８年６月１６日付けのＢｒａｎｄｏｎ他の米国特許第５，７６６，３８９号に記載されており、その全体は引用によりここに組み入れられる。又、外カバー図形６１は、図４には示されていない。
【００８１】
身体側ライナー４２を形成するために使用される材料の、連続したウエブ１０４は、供給元１０６から提供される。供給元１０６は、例えば１対のスピンドル、フェスツーン組立体、及び身体側ライナーウエブ１０４に望ましい速度及び張力を付与するダンサーロール、を一般的に含む、どんな標準送り出し部機構も含むことができる。スピンドル、フェスツーン組立体及びダンサーロールは、図４には示されていない。
【００８２】
様々な部品は、ウエブが装置の組立体部分１００を矢印１０８で示した機械方向に移動するにしたがって、身体側ライナーウエブ１０４に上に位置され及び／又は接合することができる。特に、サージ層（示していない）は付与装置１１０で付与されることができ、更に身体側ライナーウエブ１０４に位置され及び／又は接合されることができる。サージ層は、連続したウエブか又は別個のシートのどちらかを含むことができる。付加的に、収容フラップモジュール１１２は、予め組立てられた収容フラップを身体側ライナーウエブ１０４に取り付けるために、供給元１０６から下方に向かって付与されることができる。様々な部品が組立体部分１００に加えられると、連続して移動する製品集合体１１３が形成される。製品集合体１１３は、部分的に組立られた、別個の訓練用パンツ１０２を形成するために切断される。
【００８３】
複数の吸収性組立体１１４は、適した供給元１１５から付与することができる。供給元１１５は、吸収性組立体１１４を供給するための、どんな従来の機構ともすることができる。概して、従来の供給元は形成するフラフ繊維形成のため、更にもし望まれるならば、超吸収性材料をフラフ繊維と混合するために囲いを付与するため、更に次いで望ましい吸収性設計を持つ形成ドラムにフラフ及び超吸収性材料を堆積するために、ハンマーミルを含むことができる。個々の吸収性組立体１１４は、連続して移動する身体側ライナーウエブ１０４上で、各々の対の訓練用パンツの１つに、周期的に位置されることができる。吸収性組立体１１４の位置は、使用されるならばサージ材料の位置に表示されることができる。吸収性組立体１１４は、接着剤又は他の適した手段を使用して、１つ又はそれより多い他の部品に接合されることができる。代替的に複合吸収性材料は、ロール又はフェスツーン梱包のような圧縮された包装から、変換工程に給送することができる。
【００８４】
サイドパネル３４、１３４を形成するために使用される連続ウエブ材料１１６は、適した供給元１１７から付与することができる。供給元は、１つ又はそれより多い標準送り出し部機構を含むことができる。サイドパネル材料１１６は、個々のストリップ１１８に切断され、アプリケーター装置１２０を使用して身体側ライナーウエブ１０４上に、部分的に配置することができる。横断機械方向において、個々のストリップ１１８は、身体側ライナーウエブ１０４から横方向外側に向かって延び、更にストリップが身体側ライナー及び／又は収容フラップ材料に接合させるために、約２センチメートル又はそれより多い量が身体側ライナーウエブと重なる。機械方向１０８において、ストリップ１１８の位置は、吸収性組立体１１４に対して位置合わせすることができるので、製品集合体１１３は、連続したパンツ１０２の前側サイドパネル３４及び後側サイドパネル１３４を形成するサイドパネル材料１１６の、各々のストリップ１１８を備えた吸収性組立体の間を切断することができる。ストリップ１１８は、図２及び図３で見られるサイドパネルの分離を形成するために、後で切断される。
【００８５】
１つの適したアプリケーター装置１２０は、１９９２年４月１４日のＰｏｈｊｏｌａ他の米国特許第５，１０４，１１６号、及び１９９３年７月６日のＰｏｈｊｏｌａ他の米国特許第５，２２４，４０５号に記載されており、引用にここに組み入れられる。アプリケーター装置１２０は、切断組立体１２２及び回転式移送ロール１２４を含むことができる。切断組立体１２２は、連続したサイドパネル材料１１６から個々のストリップ１１８を切断するために、回転式ナイフロール１２６及び回転式真空アンビルロール１２８を使用する。ナイフロール１２６の刃により切断されたストリップ１１８は、真空によりアンビルロール１２８に維持され、更に移送ロール１２４に移送されることができる。
【００８６】
回転式移送ロール１２４は、複数の回転式真空パック１３０を含むことができる。真空パック１３０は、切断組立体１２２から材料１１６のストリップ１１８を受け取り、更にストリップを連続して移動する身体側ライナーウエブ１０４に移送する。ストリップ１１８が、身体側ライナーウエブ１０４に対して望ましく設置されると、ストリップは、パックの中の真空を消滅することによりパック１３０から剥離される。パック１３０は、他のストリップを受け取るために、切断組立体１２２へ向かって回転を続けることができる。Ｖａｎ  Ｇｏｍｐｅｌ他によって開示されているように、サイドパネルを形成するために使用される材料１１６は、代替的に連続した形で付与されることができ、更に加圧した液体ジェット又は回転ダイ切断機は、脚部開口５２を形成する目的で、材料を切断するために使用されることができる。更に代替的に，訓練用パンツ２０のサイドパネル３４、１３４は、身体側ライナー４２及び／又は外カバー４０の部分により付与されることができる。
【００８７】
外カバー４０を形成するために使用される連続した供給材料は、供給ロール１４２又は他の適した供給元からウエブ１４０に延びる。外カバー材料１４０は、ラミネートロール１４４を超えて移動し、身体側ライナーウエブ１０４に接合されることができる。吸収性組立体１１４は、これにより連続したウエブ１０４及び１４０の間に挟まれる。サイドパネル材料１１６のストリップ１１８の内側部分は又、身体側ライナーウエブ１０４と外カバーウエブ１４０の間に位置させることができる。取り付けたサイドパネル材料１１６の代替的形態は、Ｖａｎ  Ｇｏｍｐｅｌ他により開示されている。脚部弾性材５８又は腰部弾性材５４及び５６のような様々な部品は、身体側ライナーウエブ１０４及び外カバーウエブ１４０を結合させる前に、付与装置１４６で外カバー材料ウエブ１４０に接合されることができる。代替的に脚部弾性材又は腰部弾性材は、最初に身体側ライナーウエブ１０４又は別の材料に接合されることができる。
【００８８】
超音波接合のような接合装置１４８は、身体側ライナーウエブ１０４、サイドパネルストリップ１１８及び外カバーウエブ１４０を接合するために、ラミネーターロール１４４から下方向に向かって使用することができる。例えば、これらの材料は、回転式超音波ホーン及びアンビルロール（示していない）の間を移動させることができる。適した回転式超音波ホーンは、Ｅｈｌｅｒｔ他の米国特許第５，１１０，４０３号に記載されており、引用によりここに組み入れられる。このような回転式超音波ホーンは、概して約５から約２０センチメートルの直径及び約２から約１５センチメートルの幅を持つ。代替的に、超音波ホーンは、当業者によく知られているように、固定式超音波ホーンとすることができる。他の適した超音波ホーン及び超音波接合は、米国コネチカット州ダンベリーのＢｒａｎｓｏｎ  Ｓｏｎｉｃ  Ｐｏｗｅｒ  Ｃｏｍｐａｎｙより商業的に入手可能である。接合装置１４８は、よく知られている熱又は接着剤接合とすることもできる。接着剤は、超音波接合の代わりに、又は超音波接合と共に使用することもできる。
【００８９】
連続して移動する製品組立体１１３は、第一付与装置１５０に進み、次にここで第一締結部品８２が形成され、サイドパネル材料１１６のストリップ１１８に接合される。図４に示されるように、製品組立体１１３は、組立体の上方に対向する表面は訓練用パンツ２０の外側表面になり、更に下方に対向する表面は内側表面２８となるであろう。しかしながら、この装置は、代替的に異なった方向のどんな組み合わせも使用できることが知られている。例えば、製品組立体１１３の上方に対向する表面は、完成した衣類の内側表面２８を形成することができる。先頭の衣類の前側領域２２は、後続の衣類の後側腰領域２４と結合されているが、先頭の衣類の後側腰部は、後続の衣類の前側腰部と結合することができるか、又は前と前、後と後の関係で配列することができる。更に代替的に、装置は横断機械方向工程として形成されるもので、各々の衣類の縦方向軸４８は、組立体工程の部分又は全部において機械方向１０８に垂直とするものである。
【００９０】
再び図４を参照すると、第一締結部品８２を形成するために使用される第一締結材料の２つの連続したウエブ１６０が、第一締結材料フィーダの一部を形成するサプライロール１６２から延びる。図示された実施形態において、第一締結材料はフック材料であるが、ループ材料又は他の締結材料とすることもできる。締結部品８２に切断されるウエブ１６０の貯蔵及び供給は、本発明の範囲から外れることなく、前述したものの以外のものとすることができる。第一締結材料ウエブ１６０の各々は、アンビルロール１６７に対して機能するナイフロール１６６により、個々の第一締結部品８２に切断される。連続した第一締結材料１６０は、ナイフロール１６６の刃により切断され、真空によりアンビルロール上に維持され、更にサイドパネル材料１１６のストリップ１１８の上部表面に粘着されるが、これは後で詳細に示す。アンビルロール１６７はシャフト１６８及びホイール１７０を含み、これらは、シャフトに取り付けられ、図４−図８に見られるように、反時計回りの方向に共に回転することができる。
【００９１】
締結部品８２を配置するためのサイドパネル材料１１６のストリップ１１８を正確に位置決めするために、全体が１７２で示されている真空コンベアが、両方のホイール１７０に部分的に対向する位置にある集合体１１３の下に位置される。コンベア１７２は、ローラー１７６の周りに取り付けられた空気透過性エンドレスベルト１７４（広義には「可動支持材」）、及び各々のホイール１７０に対向するベルトの下側に位置する圧力（又は「反作用」）ロール１７８を含む。ここで用いられる「可動支持材」という用語は、広義には、締結部品８２を受け取るために、ホイール１７０を過ぎて支持材が動くことを意味するが、他の動きも排除されるものではない。図５に示すように、コンベア１７２の内部の部分は、壁１８０（１つだけが示されている）により隔離され、それにより真空が内部に引き込まれることができる。図５に示される壁１８０は、圧力ロール１７８を示すために破断されている。コンベア１７２の内部は、導管１８２により真空源（示されていない）と結合される。真空コンベア１７２の構成は、本発明の範囲から外れることなく特定的に前述したものの以外のものとすることができる。例えば、真空コンベアは、本発明の範囲から外れることなく、１つより多いベルトコンベア、１つ又はそれより多いドラム又はローラー、又はこれらのコンベアの幾つかの組み合わせを含むことができる。透過性ベルト１７４は、ベルトに対してストリップを平坦に固定して保持される、コンベアベルトの上側に置かれるストリップ１１８に、真空圧を伝達する。コンベア１７２上に位置される前か又はその間にストリップ１１８を直線状整列にするために、直線状整列装置が使用されることができる。例えば、ノズル（示していない）が、ストリップを直線状整列し平坦に置かせようとする方向に、ストリップに空気を送り込むように設けることができる。真空コンベア１７２は又、コンベアの横方向に集合体１１３を位置させることを助けるので、ストリップ１１８は締結部品８２を受け取るために正しい位置に置かれる。ナイフロール１６６、アンビルロール１６７及びコンベア１７２は、組立体ライン駆動軸（示されていない）から動力取り出しされることにより駆動される。このようにして締結具付与装置１５０の、同期作動が達成される。適当な歯車装置（示されていない）を、ナイフロール１６６、アンビルロール１６７、及びコンベア１７２の正確な回転／移動比を得るために使用することができる。しかしながら、締結付与装置１５０の部品を駆動する他の方法も、本発明の範囲から外れることなく使用されるものであることが理解されるであろう。
【００９２】
図５を参照にすると、フック材料のウエブ１６０は、サプライロール１６２から接着剤をウエブの後側（上方へ対向する）に付与する接着剤アプリケーター１８３を過ぎて通過する。各々のウエブ１６０は、それぞれアンビルロール１６７のホイール１７０の１つへと延びる。各々のホイール１７０は、離れた側壁１８４を持つ。各々のホイール１７０の横方向外側側壁１８４は、円に沿って角度方向に離れた位置に配列された穴１８６を持つ。穴１８６は、ホイール１７０の内側を横切って延び、ホイールの対向する側で閉じる。以下に詳細を説明するように、各々の穴の内側は、周面に真空圧又は正の空気圧を付与するためにホイール１７０の円周の（外側）表面と伝達することができる。概してＣ型圧力シューは、各々のホイール１７０の横方向外側側壁１８４に隣接した、固定された位置に取り付けられる。各々のシュー１８８は、横方向外側側壁１８４によってのみ内側が閉じられ、空気がシューと側壁の間で内外へ漏れることを防ぐために、ホイール１７０の回転に伴って側壁がシューを通り越して摺動できるようにしながら、側壁に対して摺動シーリング係合をする。穴１８６がシュー１８８を通過すると、ホイール１７０の周面に正又は負の空気圧を伝達する。シュー１８８の内側は区画分けされており、シューの部分は導管１９０（１つのシューだけの導管が図面に示されている）によって供給される異なるレベルの真空圧に曝されている。ホイール１７０の底の区画（示されていない）は、導管１９２によって供給される正の空気圧に曝されることができ、これは効果的に真空を無効にするか又は相殺するものである。それぞれのホイール１７０の上方側に近接して付与されている排除シュート１９４は、集合体１１３の動きに問題がある場合は、ホイールから締結部品８２を除去する。シュート１９４は、集合体１１３の動きに問題が発見された時、ホイール１７０から締結部品８２を捕捉し更にコンベアベルト１７４が接着剤で汚れることを防ぐために、選択的に作動させることができる真空源（示されていない）に結合される。
【００９３】
アンビルロール１６７のホイール１７０は、フック材料のウエブ１６０から切断される締結部品８２の正確な配置を促進するように構成される。ホイール１７０の構成は、実質的に示された実施形態と同一のものなので、ホイールの１つのみが説明されるであろう。より特定的には、ホイール１７０は、ホイールの側壁１８４上に取り付けられたシェル（概して１９６に示されている）を含み、ウエブ１６０に係合し更にウエブから切断された後、締結部品８２を保持する周面を定める。図９は、平坦に置かれたシェル１９６の約２分の１が描かれており、図１３は、ホイールに配置される時のシェルの断片的部分を示す。シェル１９６は、作動中にナイフロール１６６の刃により周期的に係合されるアンビル部分２００（広義には、「挿入体」）により分離される、２つの細長いプレート部分１９８を含む。プレート部分１９８各々は、ウエブ１６０及び締結部品８２に係合する横向きの部分２０２及び中央チャネル２０４を含む。３つの穴２０６のグループは、不均等な間隔でプレート部分の長さに沿って配列される。穴２０６の５つのグループの１つの集団２０８は、シェル１９６半体のそれぞれに存在する。集団２０８は、ホイール上の締結部品８２を固定して保持するために、ウエブ１６０から切断された後、締結部品８２が備わっているホイール１７０の領域に真空圧を集中させる。他の場合、穴２０６のグループは、ホイール１７０の表面上のウエブ１６０の滑り落ちを促進するために遠くに離れて位置される。グループでの穴２０６の数及びグループの間隔は、本発明の範囲から外れることなく前述したもの以外のものとすることができる。穴２０６は、プレート部分１９８（図１０から図１２参照）の外側表面の外側に近い位置でフレア状である。プレート部分は又、長さを最小にし、更に詰まりを避けるために、穴２０６の下で切り取られる。１つの実施形態において、シュー１８８のすべての区画は、穴２０６のどんな破片も吹き飛ばすために、始動及び／又は停止の時、正の空気圧を供給させることができる。穴２０６は、ホイール１７０上の遮蔽（示されていない）によって、又は他の適した方法で形成されることができることが理解されるものである。
【００９４】
プレート部分１９８の中央チャネル２０４は、その長さ方向に変化する深さを持つ。より特定的には、各々のチャネルは、図１３の参照番号２１０に示された、その端の近くにテーパ状深さ領域２１２がある溝を持つ。溝２１０は、ホイール１７０の側壁１８４の間のほぼ中間に位置され、チャネル２０４と同じ幅を持つが、溝は別に配置され、チャネルの幅とは同一ではない広がりの幅を持つこともある。プレート部分１９８（図１３に見られるように）の左側端の近くのテーパ状深さ領域２１２は、プレート部分の左側端のアンビル部分２００に近い。チャネル２０４の深さは、溝の外側でゼロになることはないが、図１３の寸法ではあまりに浅いので識別できない。プレート部分１９８の右側端（図１３に見られるように）の近くに位置する溝２１０のテーパ状深さ領域２１２は、プレート部分の右側端上に位置されるアンビル部分２００の左側に十分な間隔を持たせる。溝２１０の大部分の深さ（及び最も深い部分）が、図１０に示されており、１つの実施形態において０．１２５インチ（３．１８ミリメートル）とすることができる。テーパ状深さ領域２１２に沿っておよそ中間にある溝２１での減少した深さは、図１１に示されている。プレート部分１９８の右側端及び左側端の近くで、溝２１０の外側の、チャネル２０４の深さは非常に小さい量（図１２）、例えば約０．００８−０．００９インチ（０．２０−０．２３ミリメートル）に減少される。様々な位置での深さは前述したもの以外のものとすることができ、更に溝２１０の外側チャネル２０４の深さはゼロになることもある。更に、溝２１０はホイール１７０の円周全体の周りに途切れなしに続けることができる。プレート部分１９８の右側端の近くで溝２１０の外側のチャネル２０４の長い方のセグメントは、説明がなされるように、ストリップ１１８上に締結部品８２の放出を促進するため、ホイール１７０の外側表面と概して同一平面のランド部２１４を定める。
【００９５】
以上、締結付与装置１５０の構成を説明したが、以下に、その作動が図面６−８を特に参照して説明される。図面は１つのホイール１７０の作動を表わしており、他の作動も、示している実施形態において実質的に同一のものである。ホイール１７０は、矢印で示された方向に、一定の速度で回転する。より特定的には、ホイール１７０は、外側表面の速度がコンベアベルト１７４と同一の速度で回転するように形成されている。ホイール１７０は、１つの締結部品８２が、ホイールの各々半回転で、サイドパネル材料１１６の１つのストリップ１１８に付与されるように、大きさを定められる。ナイフロール１６６は、ホイール１７０の各々の回転で２回転し、その間にフック材料のウエブ１６０から２つの締結部品８２を切断する。ナイフロール１６６の刃はホイール１７０のアンビル部分２００と係合することが認識されるであろう。
【００９６】
フック材料のウエブ１６０は、ホイール１７０の速度より遅い（例えば約４分の１）割合で、ウエブの上の矢印に示された方向に給送される。このようにホイール１７０の外側表面は、ウエブ１６０の下を摺動する。プレート部分１９８の穴２０８を通って付与される真空は、相対的移動を与えながら、ホイール１７０に対してウエブ１６０の端部セグメントを保持する。少なくともウエブ１６０の端部セグメントの部分２１７は、溝２１０で受け取られる。この状態は、図６−８で述べられているものである。溝２１０の深さが、ホイール１７０に対する顕著な横向きの移動から、ウエブ１６０の端部セグメントを制限するので、ウエブは切断される前に正確に位置されたままである。ナイフロール１６６及びホイール１７０が係合点に接近するにしたがって、ウエブ１６０のより多くの自由端は、アンビル部分２００に近接して即座に、溝２１０からランド部２１４に摺動する。ウエブ１６０の多くの端部セグメント部分２１７は、ナイフロール１６６が切断する場所により近づいている図６より、図８において溝２１０内に位置されることがわかる。図７は、１つの締結部品８２（広義には、「切断片」及び「第一切断片」）をウエブ１６０から切断する、ナイフロールとホイールの最初の係合の瞬間の直後のナイフロール１６６及びホイール１７０を示している。締結部品８２は、急にホイール１７０の速度を促進し、ホイールの外側表面の残りと実質的に同一平面であるランド部２１４上に、完全に又はほとんど完全に置かれる。
【００９７】
締結部品８２は、ホイール１７０とともに該ホイールの底部に移動し、ここで、該締結部品が、部分的に組立られた訓練用パンツ１０２上の、サイドパネル材料１１６（広義には、「第二切断片」）のストリップ１１８に付与される。示された実施形態において、他のホイール１７０が、別の締結部品（第三切断片）をサイドパネル材料の別のストリップ（第四切断片）に付与するために作動する。上記したように、ホイールにより締結部品８２に付与される真空は、ホイールの底部の近くでかなり減少されるか又は除去される。正の空気圧が、ストリップ１１８上にホイールの締結部品８２を吹き飛ばすために付与されることができるであろうことも又考えられる。正の空気吹き飛ばしがアンビルロール１６７に使用される時には、材料の厚さ（例えば、締結部品８２、ストリップ１１８及びどんな接着剤又は他の締結中間層が結合した厚さ）より大きい、ホイール１７０とコンベアベルト１７４の間のギャップを、より容易に使用することができる。この場合、空気噴流は、ギャップを横切ってコンベアベルト１７４のサイドパネル材料１１６まで、アンビルロールホイール１７０からストリップ１１８を吹き飛ばすことになる。空気噴流を使用する時には、ストリップ１１８をサイドパネル１１６に押しつけるために、ニップロール又はアイロン用ロール（示されていない）をアンビルロール１６７より下流側において使用することができる。正の空気圧又は大きいギャップを使用するかどうかにかかわらず、圧力が締結部品及びストリップの結合を保証するために必要であれば、締結部品８２及びストリップ１１８は、アンビルロール１６７より下流側で装置に押しつけられるようにする。
【００９８】
示された実施形態に戻ると、接着剤が前もって付与されている締結部品８２の後側サイドは、ストリップ１１８と係合し更に接着している。更に、締結部品８２はこの位置で、ホイール１７０からストリップ１１８へ締結部品の移送を促進する、真空コンベア１７２の真空に曝されるものである。移送点でのホイール１７０の底部とコンベアベルト１７４の上部の間の隙間は、ホイールが締結部品をストリップに対してしっかりと押しつけるように、締結部品８２、ストリップ１１８、及びどんな接着剤も或いは他の締結中間層の結合した厚さより小さいか又は等しいものとする。締結部品８２はこのように、移送点でストリップ１１８にしっかりと押しつけられる。ホイール１７０とコンベアベルト１７４の隙間は、組立体の組成がどんなに厳密なものであっても、移送点（又はニップ）で受け取った非圧縮性組立体要素より大きくないように選択される。言い換えれば、組立体は、幾つかの例を挙げると、締結部品８２及びストリップ１１８のみ、これらの要素に加えて接着剤層、及び／又は訓練用パンツ２０の最終組立体前に取り外されるようにストリップ１１８の下方に設けられたキャリアウエブを有するものとすることができる。
【００９９】
示された実施形態において、コンベアベルト１７４は「受け取り部材」を構成し、ホイール１７０と共に、締結部品８２がホイールからストリップ１１８に移送される移送ニップを定める。しかしながら、受け取り部材は、本発明の範囲から外れることなく、固定表面或いは、ロール又は往復動プレートのような幾つかの移動部材とすることができる。更に、プレスロール１７８は移送ニップでホイール１７０と対向して位置し、コンベアベルト１７４を支持し、移送ニップでコンベアベルトの上部表面とホイール１７０の外側表面の分離を固定する。プレスロール１７８の外側円柱状表面は、示した実施形態の反作用表面を構成する。しかしながら、プレスロール１７８は、本発明の範囲から外れることなく省略できることが理解されるであろう。この場合、コンベアベルト１７４は、該コンベアベルト上のストリップに移る過程で、ストリップがホイールからコンベアベルトを押し離すまで、ホイール１７０と係合する（又はストリップ１１８をホイールに係合させる）ように配列されることになる。このようにサイドパネル材料１１６のストリップ１１８は、移送ニップでストリップに対して締結部品８２がしっかりと押しつけられる時、平坦でまっすぐに保持されることができる。
【０１００】
再び図４を参照すると、締結部品８２のストリップへの付加的接合は、締結構成付与装置１５０から下流に向かう超音波接合２１６のような、適した接合装置によって実行されることができる。サイドパネル材料１１６のストリップ１１８は、例えば後側腰領域２４（図２及び図３）の角度を持った及び／又は湾曲した脚部端縁７０を付与するために、必要であれば取り除くことができる。この最後に、組立体部分１００は、ダイ切断ロール２１８及びバッキングロール２２０を含むことができる。示された実施形態において、各々のストリップ１１８の部分は、後側腰部領域２４に角度を持った及び／又は湾曲した脚部端縁７０を形成するために、後続の縁から取り除かれる。
【０１０１】
この点では、方法及び装置は、相互結合及び部分的に組立てられた訓練用パンツの連続したウエブを、矢印１０８で示される方向に移動させる。この連続した移動製品集合体１１３は、訓練用パンツ１０２と部分的に組立てられるウエブを選択的に別個なものに切断する切断機２２２を通過する。このような切断機２２２は、概して当業者によく知られており、例えば、ウエブが移動して通過する切断ロール２２４及びアンビルロール２２６の組み合わせを含むことができる。アンビルロール２２６は硬化された鋼鉄回転ロールを含み、一方、切断ロール２２４は、別の回転ロールに固定された１つ又はそれより多い可撓性のある硬化された鋼鉄刃を含むことができる。切断ロール２２４の刃とアンビルロール２２６の間の挟み力が、切断を生み出す。切断ロール２２４は、切断の間の望ましい距離によって１つ又はそれより多い刃を持つことができる。切断機２２２は更に、切断された後、個々の切断片の間に隙間を構成することができる。このような隙間は、ウエブが切断機に提供される速度より速い速度で、切断機２２２から切断片を移送することにより形成される。付加的及びよく知られた段階（示されていない）は、訓練用パンツ２０の完全な組立体で成されるものである。
【０１０２】
図示の目的で与えられた、前述の実施形態の詳細は本発明の範囲を制限するものとしては解釈されないことが認識されるであろう。本発明の幾つかの例示的実施形態はこれまで詳細に説明してきたが、当業者は、本発明の新しい教え及び利益から本質的に離れることなく、多くの修正が例示的実施形態に可能であることを容易に認識するであろう。例えば、１つの実施形態に関連して説明された特徴は、本発明の他のどんな実施形態にも組み込まれることができる。従って、すべてのこのような修正は、本発明の範囲内に含まれることが意図されており、次に続く特許請求の範囲及びすべての均等なものに定められる。更に、多くの実施形態は、幾つかの実施形態、特定的に好ましい実施形態の中のすべての利益が達成するわけではないと考えられ、更に特定的な利益の欠如は、このような実施形態が本発明の範囲の外側にあるということを、必ずしも意味するものではないと解釈されるであろうことが理解されている。
【０１０３】
本発明又はそれらの好ましい実施形態の要素について述べる時、「１つの」、「その」、及び「前記」という単語は、１つ又は、それより多い要素があることを意味するように意図されている。「備える」、「含む」及び「持つ」という用語は、含めるという意図で、記載された要素の他に、付加的要素があるかもしれないことを意味するように意図されている。
【０１０４】
本発明の範囲から外れることなく、上述の構成に種々の変更を行うことができ、上述の説明に含まれ添付図面に示されるすべての事項は、例示的なものであり、限定的な意味を持たないものと解釈すべきである。
【図面の簡単な説明】
【０１０５】
【図１】訓練用パンツの１つの側が係合され、訓練用パンツのもう１つの側が結合されていないように示されている、訓練用パンツの締結システムを備えた子供用訓練用パンツの側方外観図である。
【図２】着用者に面していない訓練用パンツの表面を示すために、締結されず、伸長され、更に平坦に置かれた状態の図１の訓練用パンツの底部平面図である。
【図３】訓練用パンツが着用された時、着用者に面する訓練用パンツの表面を示すために、締結されず、伸長され、更に平坦に置かれた状態で、下側にある特徴が見えるように訓練用パンツの部分が切り取られている、訓練用パンツの上部平面図である。
【図４】訓練用パンツのような衣類を形成するための装置の組立体部分の図である。
【図５】装置の締結付与装置の透視図である。
【図６】操作を示す締結付与装置の図式化された外観図である。
【図７】操作を示す締結付与装置の図式化された外観図である。
【図８】操作を示す締結付与装置の図式化された外観図である。
【図９】締結付与装置のアンビルロールのシェルを平坦にした配置図である。
【図１０】図９の１０−１０を含む線で平面にとられた部分の図である。
【図１１】図９の１１−１１を含む線で平面にとられた部分の図である。
【図１２】図９の１２−１２を含む線で平面にとられた部分の図である。
【図１３】アンビルロールに取り付けられた時のシェルの断片的部分の図である。
【符号の説明】
【０１０６】
２０  訓練用パンツ
４４  吸収性組立体
８０  締結システム
８２  締結部品
１１３  集合体
１１８  ストリップ
１２０  アプリケーター装置
１７０  ホイール
１７２  真空コンベア
１７８  圧力ロール
１９８  プレート部分
２０４  チャネル
２０６  穴
２１０  溝
【図１】
2005532969.tif 000003
【図２】
2005532969.tif 000004
【図３】
2005532969.tif 000005
【図４】
2005532969.tif 000006
【図５】
2005532969.tif 000007
【図６】
2005532969.tif 000008
【図７】
2005532969.tif 000009
【図８】
2005532969.tif 000010
【図９】
2005532969.tif 000011
【図１０】
2005532969.tif 000012
【図１１】
2005532969.tif 000013
【図１２】
2005532969.tif 000014
【図１３】
2005532969.tif 000015
【国際調査報告】
2005532969.tif 000016
2005532969.tif 000017
2005532969.tif 000018